(57)【特許請求の範囲】
【請求項１】
内部に通孔が設けられた首部、該首部の一端に設けられた拡頭部、及び前記首部の他端に設けられた径方向内向きに変位可能な弾発係合部を有する係合部材と、前記通孔に挿入／離脱可能であり且つ前記通孔に挿入することによって前記弾発係合部の内向き変位を禁止するためのロック部材とから構成された留め具の前記首部を、表紙及び綴じ具に形成された孔に挿入することにより、互いに重ね合わせた前記表紙または前記綴じ具の前記孔の開口部に前記弾発係合部を係合させて前記拡頭部と前記弾発係合部との間で前記表紙と前記綴じ具とを結合させてなるファイルであって、
前記留め具は、軸方向に押圧すると断裂する結合部を介して前記ロック部材と前記係合部材とが一体成型されたものであり、
互いに重ね合わせた前記表紙及び前記綴じ具の前記孔に前記首部を挿入した状態で前記ロック部材と前記係合部材とに軸方向押圧力を加えると、前記結合部が断裂して前記ロック部材が前記通孔に挿入されることを特徴とするファイル。
【発明の詳細な説明】
【０００１】
【発明の属する技術分野】
本発明は、表紙に対して重ね合わせた綴じ具を留め具にて固定してなるファイルに関するものである。
【０００２】
【従来の技術】
紙片の一端縁に規定ピッチで複数の孔を穿設し、この孔にリング形成体を挿通することによって多数の紙片をまとめて綴じることができるようにしたリングファイルが、書類整理を行うために一般に多用されている。
【０００３】
一方、近時、資源再利用の機運が高まるに連れて資源ごみの分別収集がより一層徹底される傾向にあり、上記リングファイルも例外ではなく、互いに異なる材料からなる綴じ具の部分と表紙の部分とが容易に分離し得るように構成されることが望まれている。但し、このようなリングファイルの組み立て工程が煩雑になることは好ましくない。
【０００４】
【発明が解決しようとする課題】
しかるに、通常使用時に於ける表紙と綴じ具との結合強度と、廃棄時の表紙と綴じ具との分解容易性とは、互いに反対の特性であり、両者を両立することは極めて困難である。
【０００５】
本発明は、このような従来技術に課せられた問題点、即ち、通常使用時の強度を重視すると分解が厄介となり、分解容易性を重視すると強度が不足しがちとなる点を解消し、通常使用時の強度を阻害することなく、廃棄時に表紙と綴じ具とをより一層容易に分解することができ、かつ組み立ても容易なように構成されたファイルを提供することを目的とするものである。
【０００６】
【課題を解決するための手段】
このような目的を果たすために、本発明は、内部に通孔４ｃが設けられた首部４ｂ、該首部の一端に設けられた拡頭部４ａ、及び前記首部の他端に設けられた径方向内向きに変位可能な弾発係合部４ｅを有する係合部材４と、前記通孔に挿入／離脱可能であり且つ前記通孔に挿入することによって前記弾発係合部の内向き変位を禁止するためのロック部材５とから構成された留め具３を、表紙１及び綴じ具２に形成された孔７・８に挿入することにより、互いに重ね合わせた前記表紙または前記綴じ具の前記孔の開口部に前記弾発係合部を係合させて前記拡頭部と前記弾発係合部との間で前記表紙と前記綴じ具とを結合させてなるファイルに於いて、前記留め具は、軸方向に押圧すると断裂する結合部３ａを介して前記ロック部材と前記係合部材とが一体成型されたものであり、互いに重ね合わせた前記表紙及び前記綴じ具の前記孔に前記首部を挿入した状態で前記ロック部材と前記係合部材とに軸方向押圧力を加えると、前記結合部が断裂して前記ロック部材が前記通孔に挿入されることを特徴とするものとした。
【０００７】
【発明の実施の形態】
以下に添付の図面を参照して本発明の構成を詳細に説明する。
【０００８】
図１は、本発明が適用された例えば３０穴式のリングファイルの要部構成を示している。このリングファイルは、例えば厚紙にビニールレザーで表装した表紙１と、金属材で構成された綴じ具２とからなっており、綴じ具２は、背表紙１ａの内面に複数の留め具３を用いて固定されている。
【０００９】
背表紙１ａに綴じ具２を固定する前の状態の留め具３は、図２に示したように、係合部材４と、この係合部材４の係わり合い状態を維持するためのロック部材５とからなっている。係合部材４は、拡頭部４ａと、首部４ｂと、拡頭部４ａ及び首部４ｂを貫通する通孔４ｃと、後記弾発係合部４ｅを通孔４ｃ内方に撓み易くすべく首部４ｂに形成された複数の軸線方向スリット４ｄと、首部４ｂの遊端外周に形成された弾発係合部４ｅとからなっている。また、ロック部材５は、上記係合部材４の通孔４ｃに挿入するべくこの通孔４ｃを埋める形状をなしている。
【００１０】
ここで、背表紙１ａに綴じ具２を固定する前の状態では、ロック部材５は、通孔４ｃの拡頭部４ａ側開口部に結合部３ａを介して結合されている。更に具体的には、係合部材４とロック部材５とは同じ合成樹脂材にて一体成型され、綴じ具２を固定する前には１部品として取り扱うことができるようになっている。
【００１１】
一方、綴じ具２及び背表紙１ａには、上記係合部材４の首部４ｂを挿通すべく首部４ｂと略同一径寸法の複数の孔７、８が形成されている。
【００１２】
次に背表紙１ａに対する綴じ具２の固定要領について説明する。まず、背表紙１ａと綴じ具２とを対応する孔７、８が整合するように重ね合わせ、孔７、８を介して留め具３における係合部材４の首部４ｂを背表紙１ａ側から綴じ具２に貫通させ、綴じ具２の孔７の開口部７ａに弾発係合部４ｅを係わり合わせ、拡頭部４ａと弾発係合部４ｅとの間に背表紙１ａと綴じ具２とを挟んだ状態とする。そして、係合部材４の拡頭部４ａ側から通孔４ｃに向けてロック部材５を押圧し、結合部３ａを断裂させてロック部材５を通孔４ｃに挿入する。これにより、弾発係合部４ｅが縮径できなくなり、係合部材４の係わり合い状態が解除されることが禁止（抜け止め）される（図３）。
【００１３】
ロック部材５を係合部材４の拡頭部４ａ側に一体形成することにより、組み付けを一方向から行うことができ、その作業容易性を高めることができる。
【００１４】
次に表紙１と綴じ具２との分解要領について説明する。まず、拡頭部４ａと相反する側からロック部材５の先端５ａを矢印に示すように押圧してロック部材５を離脱させる。そして、例えば綴じ具２のベース部２ａと背表紙１ａとの間にマイナスドライバの先端を差し込んで抉るなどして弾発係合部４ｅを通孔４ｃ内方に撓ませて開口部７ａとの係わり合い状態を解除する。これにより、孔７、８から係合部材４が脱落し、表紙１と綴じ具２とを分解することができる。
【００１５】
尚、上記実施の形態は、本発明をリングファイルに適用したものについて説明したが、本発明は、パイプ式ファイル等、他の形式のファイルにも同様に適用できることは云うまでもない。また、上記構成では、ロック部材５を係合部材４の拡頭部４ａ側に一体形成したが、拡頭部４ａと相反する側、即ち弾発係合部４ｅに一体形成しても良い。但し、その場合、弾発係合部４ｅの動作を妨げないように部分的に結合する構造とすると良い。
【００１６】
【発明の効果】
このように本発明によれば、拡頭部と、内部に通孔を有する首部と、その外周に形成されると共に通孔の内方に撓んで孔の開口部に弾発的に係わり合い／解除する弾発係合部とを有する係合部材と、上記通孔に挿入／離脱可能であり、これに挿入することによって弾発係合部の係わり合う状態を維持し、離脱することによって係わり合う状態を解除容易とするロック部材とから構成され、ロック部材が、通孔に挿入する前にはこの通孔に挿入可能な位置にて係合部材と一体をなしている留め具により、表紙に対して綴じ具を固定することで通常は表紙に対して綴じ具が堅固に固定され、分解時にはロック部材を離脱させ、解除容易な状態となった係合部材の係わり合いを解除するのみで表紙と綴じ具とを容易に分離させることが可能となる。しかも、留め具を構成する係合部材とロック部材とが組み付け前に１部品として扱うことができるため、表紙に対する綴じ具の取付工程が簡便になると共に部品管理が容易になる。更に綴じ具並びに表紙自体には変更を加える必要がないために製造コストに及ぼす影響も殆どない。特にロック部材が係合部材の拡頭部側にてこれと一体をなすものとすることにより、組み付けを一方向から行うことができ、その作業容易性が向上する。
【図面の簡単な説明】
【図１】本発明が適用されたリングファイルの要部斜視図。
【図２】表紙に綴じ具を固定する留め具のみの拡大断面図。
【図３】表紙に綴じ具を固定した部分の拡大断面図。
【符号の説明】
１  表紙
１ａ  背表紙
２  綴じ具
２ａ  ベース部
３  留め具
４  係合部材
４ａ  拡頭部
４ｂ  首部
４ｃ  通孔
４ｄ  軸線方向スリット
４ｅ  弾発係合部
５  ロック部材
７、８  孔
７ａ  開口部
【図１】
0003845575.tif 000002
【図２】
0003845575.tif 000003
【図３】
0003845575.tif 000004